(57)【要約】      （修正有）【課題】装着者によって装着されることになるブラジャー用のブラカップを提供する。【解決手段】ブラカップ１０４は、内側部と、外側部１１２ｂとを有するコア層を備える。複数のアパーチャが、コア層内に形成される。複数のアパーチャのうちの１つまたは複数は、内側部に向けての比較的大きい直径と外側部に向けての比較的小さい直径とをもつ切頭円錐形断面を有する。また、複数のアパーチャは、ブラカップの前部区域１０２ａ内に形成された複数の細長いアパーチャ１３０と、ブラカップの側方区域１０２ｂ内に形成された複数の円形アパーチャ１２８とを含む。複数の細長いアパーチャは、ダンベル形状を有する。さらに別の例では、ブラカップは、その内側部に向かってコア層内に画定された複数の突出部を備える。【選択図】図５Ａ
2019163576.tif 000002
【特許請求の範囲】
【請求項１】
装着者によって装着されることになるブラジャー用のブラカップであって、
フォーム材料から形成され、前記ブラジャーが装着されているときに前記装着者の乳房に合致するように三次元構成を有するコア層であって、内側部と外側部とを有するコア層と、
前記コア層内に形成された複数のアパーチャと
を備え、
前記複数のアパーチャは、複数の円形孔および複数の細長いアパーチャを含み、
前記複数の円形孔のうちの１つまたは複数は、前記コア層の、前記内側部に向けての比較的大きい直径と前記外側部に向けての比較的小さい直径とをもつ切頭円錐形断面を有するブラカップ。
【請求項２】
前記複数の円形孔は、前記ブラカップの側方区域内に形成され、前記複数の細長いアパーチャは、前記ブラカップの前部区域内に形成される請求項１に記載のブラカップ。
【請求項３】
前記側方区域の下部部分内の前記複数の円形孔のうちの１つまたは複数は、前記切頭円錐形断面を有する請求項２に記載のブラカップ。
【請求項４】
前記複数の細長いアパーチャのうちの１つまたは複数は、スリットと前記スリットの２つの端にそれぞれ形成された２つの開口とをもつダンベル形状を有する請求項１に記載のブラカップ。
【請求項５】
その前記内側部に向かって前記コア層内に画定された複数の突出部をさらに備え、前記突出部が、前記複数のアパーチャのうちの１つまたは複数が前記コア層の前記内側部において３つ以上の突出部によって囲まれるように、マトリックス形態で配置される請求項１に記載のブラカップ。
【請求項６】
前記複数の突出部は、略正方形形状をもつ突出部の第１のセットと、略平行四辺形をもつ突出部の第２のセットとを備え、前記突出部の第１のセットは前記ブラカップの前部区域内に設置され、前記突出部の第２のセットは前記ブラカップの側方区域内に設置される請求項５に記載のブラカップ。
【請求項７】
前記コア層およびその中の前記複数のアパーチャは、射出成形プロセスによって形成される請求項１に記載のブラカップ。
【請求項８】
前記射出成形プロセス内で前記コア層と接合されたメッシュをさらに備える請求項７に記載のブラカップ。
【請求項９】
前記コア層内に埋め込まれたアンダーワイヤをさらに備える請求項１に記載のブラカップ。
【請求項１０】
前記アンダーワイヤは金属材料またはプラスチック材料のどちらかから作製される請求項９に記載のブラカップ。
【請求項１１】
少なくとも織物シートと、任意選択でフォームシートとを備え、前記ブラジャーが装着されているとき、内側層が前記装着者の前記乳房と接触するように配設されるように前記コア層に対して配置される内側層と、
少なくとも織物シートと、任意選択でフォームシートとを備え、前記ブラジャーが装着されているとき、外側層が前記装着者の前記乳房からの遠位端に設置されるように、前記コア層に対して配置される外側層と
をさらに備える請求項１に記載のブラカップ。
【請求項１２】
ブラジャー用のブラカップを製造する方法であって、
液体形態でフォーム材料を用意するステップと、
第１の型枠と第２の型枠とを備える型枠配置を用意するステップであって、前記第１の型枠および前記第２の型枠のうちの少なくとも一方は、その中に画定された複数の突起を有する、用意するステップと、
前記フォーム材料を前記第１の型枠と前記第２の型枠の間の前記型枠配置へと注入するステップと、
三次元構成へと輪郭が描かれるように前記フォーム材料を硬化させ、前記複数の突起と相補的な、その中に形成された複数のアパーチャをもつ前記ブラカップのコア層を形成するステップと
を含み、
前記複数のアパーチャのうちの１つまたは複数は、前記コア層の、内側部に向けての比較的大きい直径と外側部に向けての比較的小さい直径とをもつ切頭円錐形断面を有する
方法。
【請求項１３】
前記複数のアパーチャは、
前記ブラカップの前部区域内に配設された複数の細長いアパーチャと、
前記ブラカップの側方区域内に配設された複数の円形孔と
を含み、
前記側方区域の下部部分内の前記複数の円形孔のうちの１つまたは複数は、前記切頭円錐形断面を有する請求項１２に記載の方法。
【請求項１４】
前記複数の細長いアパーチャのうちの１つまたは複数は、スリットと前記スリットの２つの端にそれぞれ形成された２つの開口とをもつダンベル形状を有する請求項１３に記載の方法。
【請求項１５】
メッシュを用意するステップと、
前記フォーム材料が硬化されるとき、前記メッシュが、その内側部および外側部のうちの少なくとも一方から前記コア層と接合されるように、前記フォーム材料の前記注入中に前記第１の型枠と前記第２の型枠の間の１つまたは複数の第１のアンカー上で前記メッシュを支持するステップと
をさらに含む請求項１２に記載の方法。
【請求項１６】
アンダーワイヤを用意するステップと、
前記フォーム材料が硬化されるとき、前記アンダーワイヤが前記コア層内に埋め込まれるように、前記フォーム材料の前記注入中に前記第１の型枠と前記第２の型枠の間の１つまたは複数の第２のアンカー上で前記アンダーワイヤを支持するステップと
をさらに含む請求項１２に記載の方法。
【請求項１７】
前記ブラカップの内側層の一部であることになる織物シートを用意するステップと、
前記ブラカップの外側層の一部であることになる織物シートを用意するステップと
をさらに含み、
前記フォーム材料は、前記フォーム材料が硬化されるとき、形成された前記コア層がそれと接合されるように、前記内側層の前記織物シートと前記外側層の前記織物シートの間に注入される請求項１２に記載の方法。
【請求項１８】
装着者によって装着されることになるブラジャー用のブラカップであって、
フォーム材料から形成され、前記ブラジャーが装着されているときに前記装着者の乳房に合致するように三次元構成を有するコア層であって、内側部と外側部とを有するコア層と、
前記コア層内に形成された複数のアパーチャであって、前記コア層の前記内側部と前記外側部の間に延在する複数のアパーチャと、
その前記内側部に向かって前記コア層内に画定された複数の突出部であって、前記複数のアパーチャのうちの１つまたは複数が前記コア層の前記内側部において３つ以上の突出部によって囲まれるように、マトリックス形態で配置された突出部と
を備えるブラカップ。
【請求項１９】
前記複数のアパーチャは、
前記ブラカップの前部区域内に形成された複数の細長いアパーチャと、
前記ブラカップの側方区域内に形成された複数の円形孔と
を含み、
前記複数の細長いアパーチャのうちの１つまたは複数は、前記複数の細長いアパーチャのうちの前記１つまたは複数の各々が、その中の対応するスリットの延在の方向に実質的に直交する方向に沿った前記コア層の伸張を可能にするように、スリットと前記スリットの２つの端にそれぞれ形成された２つの開口とをもつダンベル形状を有し、
前記側方区域の下部部分内の前記複数の円形孔のうちの１つまたは複数は、前記コア層の内側部に向けての比較的大きな直径と前記コア層の外側部に向けての比較的小さい直径とをもつ切頭円錐形断面を有する請求項１８に記載のブラカップ。
【請求項２０】
前記複数の突出部は、略正方形形状をもつ突出部の第１のセットと、略平行四辺形をもつ突出部の第２のセットとを備え、前記突出部の第１のセットは前記ブラカップの前部区域内に設置され、前記突出部の第２のセットは前記ブラカップの側方区域内に設置される請求項１８に記載のブラカップ。
【発明の詳細な説明】
【技術分野】
【０００１】
本開示は、一般に、ブラジャーに関し、詳細には、通気性を提供し、ブラジャーが装着されているときに装着者の皮膚から熱を放散することを可能にするための手段を有するブラジャー用のブラカップに関する。
【背景技術】
【０００２】
一般的には、ブラジャー用のブラカップは、その中の織物層とともに、パッドを含む。パッドは、通常、ブラの乳房カップ領域全体を覆って設置される。これらのパッドは、通常、フォーム材料から作製され、ブラの最も内側の層と最も外側の層の間に組み込まれる。ブラに組み込まれたパッドは、乳房を支持する助けとなり、また、持ち上げを作ることができる。パッドはまた、装着者の乳房の形状に合致するようにブラカップを適合させるために柔軟性を提供する。従来から、そのようなパッドは、圧縮成形プロセスによって製造され、この当該圧縮成形プロセスでは、予備成形されたソリッドフォーム形態がブラカップ形状へと作製される。しかしながら、圧縮成形プロセスの使用は、いくつかの欠点を有する。そのようなプロセスを使用することによって形成されたパッドは、一般に、さまざまなセクションに沿って、一貫しない密度を有することがある。たとえば、厚いセクションは、一般的に高い密度を有することがあり、薄いセクションは、比較的低い密度を有することがある。また、フォームパッドの使用によって、そのようなブラカップの通気性が減少されることがあり、したがって、ブラジャーが、長時間にわたって装着するのが不快なものになる。さらに、フォームパッドの使用によって、装着者の皮膚と接触して配設されるブラカップの内側部の広い表面積がもたらされ、このことが、それからの熱放散に悪影響を与える。そのうえ、そのような圧縮成形プロセスによって、ブラジャーにいくつかの特性を提供するために、そのようなパッドにおける任意の構造または形状を画定または形成することが困難になる。
【発明の概要】
【発明が解決しようとする課題】
【０００３】
したがって、ブラジャーが装着されているときに装着者に快適な経験を提供するように、高い通気性を提供し、熱を放散することを可能にする手段をもつブラカップが必要とされている。
【課題を解決するための手段】
【０００４】
一態様では、装着者によって装着されることになるブラジャー用のブラカップが開示される。当該ブラカップは、フォーム材料から形成され、ブラジャーが装着されているときに装着者の乳房に合致するように三次元構成を有するコア層を備える。当該コア層は、内側部と、外側部とを有する。複数のアパーチャが、コア層内に形成される。当該複数のアパーチャは、複数の細長いアパーチャと、複数の円形アパーチャとを含む。ブラカップにおいて、複数のアパーチャのうちの１つまたは複数は、内側部に向けての比較的大きい直径と外側部に向けての比較的小さい直径とをもつ切頭円錐形断面を有する。
【０００５】
一実施形態では、当該複数の円形アパーチャは、ブラカップの側方区域内に配設され、当該複数の細長いアパーチャは、ブラカップの前部区域内に配設される。
【０００６】
一実施形態では、側方区域の下部部分内の複数の円形アパーチャのうちの１つまたは複数は、切頭円錐形断面を有する。
【０００７】
一実施形態では、当該複数の細長いアパーチャのうちの１つまたは複数は、スリットと当該スリットの２つの端にそれぞれ形成された２つの開口とをもつダンベル形状を有する。
【０００８】
一実施形態では、ブラカップは、その内側部に向かってコア層内に画定された複数の突出部をさらに備える。当該突出部は、複数のアパーチャのうちの１つまたは複数がコア層の内側部において３つ以上の突出部によって囲まれるように、マトリックス形態で配置される。
【０００９】
好ましくは、複数の突出部は、略正方形形状をもつ突出部の第１のセットと、略平行四辺形をもつ突出部の第２のセットとを含む。突出部の第１のセットは、ブラカップの前部区域内に設置され、突出部の第２のセットは、ブラカップの側方区域内に設置される。
【００１０】
好ましくは、コア層および複数のアパーチャは、射出成形プロセスによって形成される。
【００１１】
好ましくは、ブラカップは、射出成形プロセスにおいてコア層と接合されたメッシュをさらに備える。
【００１２】
好ましくは、ブラカップは、コア層内に埋め込まれたアンダーワイヤをさらに備える。
【００１３】
好ましくは、アンダーワイヤは、金属材料またはプラスチック材料のいずれかから作製される。
【００１４】
１つまたは複数の実施形態では、ブラカップは、少なくとも織物シートと、任意選択でフォームシートとを備え、ブラジャーが装着されているとき、内側層が装着者の乳房と接触するように配設されるようにコア層に対して配置される内側層と、少なくとも織物シートと、任意選択でフォームシートとを備え、ブラジャーが装着されているとき、外側層が装着者の乳房からの遠位端に設置されるように、コア層に対して配置される外側層とをさらに備える。
【００１５】
別の態様では、ブラジャー用のブラカップを製造する方法が開示される。当該方法は、液体形態でフォーム材料を用意することを含む。当該方法は、第１の型枠と第２の型枠とを備える型枠配置を提供することをさらに含む。第１の型枠および第２の型枠のうちの少なくとも一方は、その中に画定された複数の突起を有する。方法は、フォーム材料を第１の型枠と第２の型枠の間の型枠配置へと注入することをさらに含む。方法は、三次元構成へと輪郭が描かれるようにフォーム材料を硬化させ、複数の突起と相補的な、その中に形成された複数のアパーチャをもつブラカップのコア層を形成することをさらに含む。当該複数のアパーチャのうちの１つまたは複数は、コア層の内側部に向けての比較的大きな直径とコア層の外側部に向けての比較的小さい直径とをもつ切頭円錐形断面を有する。
【００１６】
好ましくは、複数のアパーチャは、側方区域の下部部分の円形のアパーチャのうちの１つまたは複数が切頭円錐形断面を有するように、ブラカップの前部区域内に配設された複数の細長いアパーチャと、ブラカップの側方区域内に配設された複数の円形アパーチャとを含む。
【００１７】
好ましくは、複数の細長いアパーチャのうちの１つまたは複数は、スリットと当該スリットの２つの端にそれぞれ形成された２つの開口とをもつダンベル形状を有する。
【００１８】
好ましくは、方法は、メッシュを用意することと、フォーム材料が硬化されるとき、メッシュが、その内側部および外側部のうちの少なくとも一方からコア層と接合されるように、フォーム材料の注入中に第１の型枠と第２の型枠の間の１つまたは複数の第１のアンカー上でメッシュを支持することとをさらに含む。
【００１９】
好ましくは、方法は、アンダーワイヤを用意することと、フォーム材料が硬化されるとき、アンダーワイヤがコア層内に埋め込まれるように、フォーム材料の注入中に第１の型枠と第２の型枠の間の１つまたは複数の第２のアンカー上でアンダーワイヤを支持することとをさらに含む。
【００２０】
好ましくは、方法は、ブラカップの内側層の一部であることになる織物シートを用意することと、フォーム材料が硬化されるとき、形成されたコア層がそれと接合されるように、フォーム材料が、内側層の織物シートと外側層の織物シートの間に注入されるように、ブラカップの外側層の一部であることになる織物シートを用意することとをさらに含む。
【００２１】
さらに別の態様では、装着者によって装着されることになるブラジャー用のブラカップが開示される。当該ブラカップは、フォーム材料から形成され、ブラジャーが装着されているときに装着者の乳房に合致するように三次元構成を有するコア層を備える。当該コア層は、内側部と、外側部とを有する。当該ブラカップは、コア層内に形成された複数のアパーチャをさらに備える。当該複数のアパーチャは、コア層の内側部と外側部の間に延在している。ブラカップは、その内側部に向かってコア層内に画定された複数の突出部をさらに備える。当該突出部は、複数のアパーチャのうちの１つまたは複数がコア層の内側部において３つ以上の突出部によって囲まれるように、マトリックス形態で配置される。
【００２２】
好ましくは、当該複数のアパーチャは、ブラカップの前部区域内に形成された複数の細長いアパーチャと、ブラカップの側方区域内に形成された複数の円形アパーチャとを含む。複数の細長いアパーチャのうちの１つまたは複数は、複数の細長いアパーチャのうちの１つまたは複数の各々が、その中の対応するスリットの延在の方向に実質的に直交する方向に沿ったコア層の伸張を可能にするように、スリットとこのスリットの２つの端にそれぞれ形成された２つの開口とをもつダンベル形状を有する。さらに側方区域の下部部分内の複数の円形アパーチャのうちの１つまたは複数は、コア層の内側部に向けての比較的大きな直径とコア層の外側部に向けての比較的小さい直径とをもつ切頭円錐形断面を有する。
【００２３】
好ましくは、複数の突出部は、略正方形形状をもつ突出部の第１のセットと、略平行四辺形をもつ突出部の第２のセットとを含む。突出部の第１のセットは、ブラカップの前部区域内に設置され、突出部の第２のセットは、ブラカップの側方区域内に設置される。
【００２４】
前述の概要は、例示にすぎず、決して限定することを意図するものではない。上記で説明された例示的な態様、実施形態、および特徴に加えて、さらなる態様、実施形態、および特徴が、図面および以下の詳細な説明を参照することにより明らかになるであろう。
【図面の簡単な説明】
【００２５】
次に、本開示の例示的な実施形態のより完全な理解のために、添付の図面に関連して取り上げられる以下の説明に対する参照がなされる。
【００２６】
【図１】本開示の１つまたは複数の実施形態による、ブラカップを組み込んだブラジャーの概略斜視図である。
【図２Ａ】本開示の１つまたは複数の実施形態による、ブラカップの概略斜視図である。
【図２Ｂ】本開示の１つまたは複数の実施形態による、ブラカップの、その拡大部分を伴う部分側面図である。
【図３Ａ】本開示の第１の実施形態による、ブラジャーのブラカップ領域のコア層の正面図である。
【図３Ｂ】本開示の第１の実施形態による、ブラジャーのブラカップ領域のコア層の背面図である。
【図３Ｃ】本開示の第１の実施形態による、図３Ａの線Ａ−Ａ’に沿ったコア層の断面図である。
【図４Ａ】本開示の第２の実施形態による、ブラジャーのブラカップ領域のコア層の正面図である。
【図４Ｂ】本開示の第２の実施形態による、ブラジャーのブラカップ領域のコア層の背面図である。
【図５Ａ】本開示の第３の実施形態による、ブラジャーのブラカップ領域のコア層の正面図である。
【図５Ｂ】本開示の第３の実施形態による、ブラジャーのブラカップ領域のコア層の背面図である。
【図６Ａ】本開示の第４の実施形態による、ブラジャーのブラカップ領域のコア層の正面図である。
【図６Ｂ】本開示の第４の実施形態による、ブラジャーのブラカップ領域のコア層の背面図である。
【図６Ｃ】本開示の第１の実施形態による、図６Ａの線Ｂ−Ｂ’に沿ったコア層の、その拡大部分を伴う断面図である。
【図７】本開示の１つまたは複数の実施形態による、その中に画定されたブラカップの形状をもつコア層を製造するための成形配置を示す概略図である。
【発明を実施するための形態】
【００２７】
以下の説明では、説明の目的のため、本開示の完全な理解をもたらすために、多数の具体的な詳細が記載されている。しかしながら、本開示はこれらの具体的な詳細なしに実施可能であることが、当業者には明らかであろう。他の例では、装置および方法が、本開示を曖昧にすることを避けるために、ブロック図形態のみで示される。
【００２８】
本明細書における「一実施形態」または「実施形態」に対する言及は、実施形態に関連して説明される特定の特徴、構造、または特性が本開示の少なくとも１つの実施形態に含まれることを意味する。本明細書内のさまざまな場所における「一実施形態では」という句の出現は、必ずしもすべてが同じ実施形態を指すとは限らず、また、他の実施形態と相互に排他的である別個の実施形態または代替的実施形態ではない。さらに、本明細書における「１つの（ａ）」および「１つの（ａｎ）」という用語は、量の限定を示さず、むしろ、言及された項目のうちの少なくとも１つの存在を示す。さらに、実施形態によっては示され、実施形態によっては示されないことがある、さまざまな特徴が説明される。同様に、実施形態によっては要件であり、実施形態によっては要件でないことがある、さまざまな要件が説明される。
【００２９】
実施形態は、本明細書では例示的な目的で説明され、多くの変形形態がある。さまざまな省略および等価物の置き換えは、環境によって示唆されるまたは好都合になるように企図されるが、本開示の趣旨または範囲から逸脱することなく、適用例または実装形態を包含することを意図することが理解される。さらに、本明細書において用いられる言い回しおよび用語は、説明を目的としたものであり、限定するとみなされるべきではないことを理解されたい。本明細書内で利用されるいかなる見出しも、便宜のためにすぎず、法律的効果または限定する効果をもたない。
【００３０】
本明細書において、ブラまたはブラの一部の構成要素部品または部材に対する内部および外部または類似の用語に対して言及がなされる場合、ブラの装着者の身体に対してであることが理解されることが意味される。たとえば、「内部」または「内側部」または「内側領域」は、部材が、装着者の身体に対してより遠位であるブラの部材よりも、装着者の身体に対して近位であるブラの対向側部に対して、近位であることを表すための相対的な用語である。「内側」は、指定されていない限り、「最も内側」を意味しない。これは、同様に、「外側」または「外部」などの用語に適用される。
【００３１】
「層」という単語に対する言及がある場合、それが、その一般的な定義を有してよいが、層は、１つのパネルからなってよいことに限定されないこと、または、接合され、各々が異なる特性（たとえば、色、厚さ、材料、方向、サイズ）をもち得る２つ以上のパネルによって画定された領域を有することがあることを理解されるべきである。
【００３２】
図面を参照すると、図１は、本開示の実施形態による、ブラジャー１００（また、単に「ブラ１００」と呼ばれることがある）の概略図を示す。特に、図１は、ブラジャー１００のブラカップ領域１０２を示す。図示のように、ブラカップ領域１０２は、好ましくは、互いと概ね同一であり、互いに隣接して位置決めされる２つのブラカップ（その両方は、共通する数字１０４によって参照される）を画定する。図１に示されるように、ブラカップ領域１０２は、一般に、３つの区域、すなわち、ブラカップ１０４の前部区域１０２ａ（ブラカップ１０４の頂点中心「Ｃ」のまわりに及ぶ）、ブラカップ１０４の側方区域１０２ｂ（ブラカップ１０４の側面および下面に及ぶ）、および周辺区域１０２ｃ（ブラカップ１０４の外側に及ぶ）、に分割され得る。中間のブリッジ領域１０６は、２つのブラカップ１０４の間に延在してよい。好ましい形態では、ブラカップ領域１０２の材料構成要素のうちの少なくとも１つは、その中の全体を通じて、好ましくはブリッジ領域１０６の上でも、連続的である。しかしながら、代替形態では、ブラカップ１０４の各々は、別個にあらかじめ画定されてよく、ブリッジ領域１０６において共に固定され、いったん組立てられるとブラカップ領域１０２を画定してもよい。いくつかの例では、ブラカップ領域１０２は、シームレスであり、少なくともそのうちのいくつかは成形され、好ましくは少なくとも一部は積層によって互いと係合される材料から作製されてよい。ブラジャー１００は、装着時に装着者の身体に対してブラジャー１００を支持するために、肩ひも１０８、チェストバンド１１０などの要素をさらに含んでよい。
【００３３】
本開示の一実施形態では、ブラカップ１０４は多層構造である。図２Ａは図１のブラカップ１０４の概略図を示し、図２Ｂは図１のブラカップ１０４の部分側端図を示す。図２Ｂにより明確に示されるように、ブラカップ１０４は、３つの層、すなわち、コア層１１２と、内側層１１４と、外側層１１６とを含む。わかり得るように、コア層１１２は、ブラカップ１０４において、内側層１１４と外側層１１６の間に配設される。３つの層１１２、１１４、１１６は、ブラジャー１００が装着されているとき、内側層１１４が装着者の乳房と接触するように配設され、外側層１１６が装着者の乳房から遠位端に設置されるように、配置される。コア層１１２は、ブラジャー１００がその完了した形態をとるとき、内側層１１４と接触して配設された内側部１１２ａ（図３Ｂにより明確に示されるように）と、外側層１１６と接触して配設された外側部１１２ｂ（図３Ａにより明確に示されるように）とを有する。一般に、関連付けられた図面に示されるように、コア層１１２は三次元構成を有し、したがって、ブラカップ１０４は、前方の内側層１１４に対して見られたときの略凹状形状と、前方の外側層１１６に対して見られたときの略凸状形状とを有する。
【００３４】
ブラジャー１００において、コア層１１２は、フォーム材料から作製される。フォーム材料は、コア層１１２に柔軟性を提供し、それによって、ブラジャー１００が装着されているときに装着者の乳房に合致するために必要とされるブラカップ１０４にも柔軟性を提供する。１つまたは複数の実施形態では、フォーム材料は、ポリウレタン系材料、シリコーン系材料、ラテックス系材料、およびゴム系材料のうちの１つを含む。好ましくは、フォーム材料は、熱可塑性ゴム（ＴＰＲ）、熱可塑性ポリウレタン（ＴＰＵ）、シリコーン、エチレン酢酸ビニル（ＥＶＡ）、ポリ塩化ビニル（ＰＶＣ）、およびポリプロピレン（ＰＰ）のうちの１つを含む。さらに、一実施形態では、内側層１１４と外側層１１６の両方は、織物シート（図示せず）を含む。他の実施形態では、内側層１１４と外側層１１６の両方は、織物シート（図示せず）と、フォームシート（図示せず）とを含む。そのような場合、織物シートおよびフォームシートは積層され、互いと同一の広がりをもつ。内側層１１４および外側層１１６は、ブラジャー１００がその完了した形態をとるとき、そのフォームシートがコア層１１２の内側部１１２ａおよび外側部１１２ｂと接触し、それによって、その織物シートがブラカップ１０４の外表面を形成するように、コア層１１２に対して配置される。
【００３５】
一例では、織物シートは、Ｆｒｉｅｎｄｌｙ  Ｆｏｕｎｄａｔｅ  Ｌｔｄ．のモデル番号ＣＭＦ−７４４０ＭＵによって知られており、約８０％Ｔａｃｔｅｌおよび２０％Ｌｙｃｒａ、ならびにたとえば約１９０ｇ／平方メートルの重量の構造を有する製品であってよい。さらに、フォームシートは、好ましくは、たとえば、メモリーフォームである、Ｉｎｏａｃ  ＣｏｒｐｏｒａｔｉｏｎのＥＬ５８−４Ｓなどの、ポリウレタンフォームからなる。いくつかの例では、対応する層の織物シートおよびフォームシートは、Ｆｏｒｂｏ  Ｓｗｉｆｔ  Ａｄｈｅｓｉｖｅｓ  ＳＡの膠剤ＨＭ−１などの接着剤を使用して一緒に積層されてよい。接着剤は、織物シートおよびフォームシートの対立する対向する表面のうちの少なくとも１つの上に噴霧されてよい。接着剤は、加熱することなく乾燥時に織物シートおよびフォームシートを一緒に粘着し、内側層１１４および外側層１１６のために対応するパネルを形成してよい。
【００３６】
さらに、図２Ａ〜図２Ｂに示されるように、ブラカップ１０４は、コア層１１２と接合された、メッシュ織物などの、メッシュ１１８を含む。いくつかの例では、メッシュ１１８は、（後で説明されるように）射出成形プロセスにおいてコア層１１２とともに形成される。メッシュ１１８は、コア層１１２に対する支持を提供し、射出成形プロセス中のコア層１１２の破壊を防止する。図示の例では、メッシュ１１８は、コア層１１２と外側層１１６の間に設けられるように示されている。しかしながら、他の例では、メッシュ１１８は、本開示の範囲に影響を与えることなく、コア層１１２と内側層１１４の間に設けられることがある。いくつかの他の例では、ブラカップ１０４は、コア層１１２と外側層１１６の間に、ならびにコア層１１２と内側層１１４の間に設けられた２つのメッシュ１１８を有することがある。そのうえ、図２Ａ〜図２Ｂに示されるように、ブラカップ１０４は、コア層１１２の中に埋め込まれたアンダーワイヤ１２０も含む。１つまたは複数の例では、アンダーワイヤ１２０は、一般に、Ｕ字形ワイヤであってよい。各ブラカップ１０４内のアンダーワイヤ１２０は、コア層１１２において、対応するブラカップ１０４の下方周縁を形成し、これを支持する助けとなり得る。アンダーワイヤ１２０は、金属材料または剛性プラスチック材料のようなプラスチック材料のどちらかから作製される。
【００３７】
図３Ａ〜図３Ｂはそれぞれ、本開示の第１の実施形態による、ブラカップ領域１０２全体に及ぶコア層１１２の正面図および背面図を示す。コア層１１２は、ブラカップ領域１０２全体に及んで示されているが、他の例では、いかなる制限もなしに、コア層１１２は、ブラカップ１０４のうちの１つのみに及ぶことがあり、それぞれの２つのブラカップ１０４用の２つのそのようなコア層は、ブラカップ領域１０２を画定するように後で一緒に接合されることがあることが企図され得る。図３Ａ〜図３Ｂに示されるように、ブラカップ１０４の各々は、コア層１１２の中に形成された複数のアパーチャ（全体的に数字１２２によって指定される）を含む。１つまたは複数の例では、複数のアパーチャ１２２は、コア層１１２の中に形成された円形の穴の形をした円形アパーチャである。他の例では、アパーチャ１２２は、いかなる制限もなしに、限定するものではないが、楕円形、三角形、六角形、正方形、方形などの、異なる形状を有してよい。さらに、１つまたは複数の例では、アパーチャ１３２のうちの１つまたは複数は、図３Ａ〜図３Ｃに関して説明されるように、ブラカップ１０４の側方区域１０２ｂの下部部分１０２ｄの中のアパーチャ１２２と同様に、切頭断面を有する。わかり得るように、複数のアパーチャ１２２は、ブラカップ１０４の中心「Ｃ」（その頂点でもある）から径方向外側に配設されてよい。図３Ａ〜図３Ｂに示されるように、複数のアパーチャ１２２は、ブラカップ１０４の前部区域１０２ａと側方区域１０２ｂの両方の中に形成される。１つまたは複数の実施形態では、ブラカップ１０４は、中心「Ｃ」のまわりに、より濃い濃度のアパーチャ１２２を有し、アパーチャ１２２の濃度は、中心「Ｃ」から径方向に離れて移動する定期的な様式または不定期な様式で減少し始めてよい。わかり得るように、ブラカップ１０４は、一般に、側方区域１０２ｂと比較して、前部区域１０２ａの中に比較的大きな濃度のアパーチャ１２２を有してよい。１つまたは複数の例では、周辺区域１０２ｃも、その中に形成されたアパーチャ１２２を有する。
【００３８】
本実施形態では、コア層１１２におけるブラカップ１０４の側方区域１０２ｂの中に形成されたアパーチャ１２２は切頭円錐形断面を有するが、コア層１１２におけるブラカップ１０４の前部区域１０２ａの中に形成されたアパーチャ１２２は略円筒状断面を有する。言い換えれば、側方区域１０２ｂの中に形成されたアパーチャ１２２は、コア層１１２の内側部１１２ａに向けての比較的大きい直径と、コア層１１２の外側部１１２ｂに向けての比較的小さい直径とを有する。１つまたは複数の実施形態では、ブラカップ１０４の側方区域１０２ｂの下部部分（図３Ａ〜図３Ｃでは全体的に数字１０２ｄとともに示される）内に形成されたアパーチャ１２２のみが、切頭円錐形断面を有する。すなわち、側方区域１０２ｂの下部部分１０２ｄにおけるアパーチャ１２２のうちの少なくとも１つは、外側部１１２ｂにおける同じアパーチャ１２２と比較して、より大きな直径を内側部１１２ａに有する。これは、内側部１１２ａにおける側方区域１０２ｂの下部部分１０２ｄの中のアパーチャ１２２は、一般に、内側部１１２ａにおける前部区域１０２ａの中のアパーチャ１２２よりも大きいが、外側部１１２ｂの中のアパーチャ１２２は、一般に、均一のサイズにされることを暗示する。これが行われるのは、外部からのブラカップ１０４の滑らかな外観を有することが好ましいので、より大きい直径のアパーチャは、外側部１１２ｂ上で望ましくないからであり、したがって、均一なサイズにされたアパーチャ１２２がその中に設けられるからである。さらに、アパーチャ１２２が外側部１１２ｂにおいて、より大きい直径を有する場合、それによって、これもまた望ましくないのだが、おそらくブラカップ１０４がシースルーとなることがあることが企図されることがある。
【００３９】
図３Ｃは、図３Ａのコア層１１２の線Ａ−Ａ’に沿った、図３Ａ〜図３Ｂのブラカップ１０４の断面図を示す。図３Ｃの断面図からさらにわかり得るように、側方区域１０２ｂの下部部分１０２ｄにおけるアパーチャ１２２は、内側部１１２ａと外側部１１２ｂの間に切頭円錐形形状を有する。ブラカップ１０４の側方区域１０２ｂの下部部分１０２ｄが、装着者の乳房に一般に密にフィットし、したがって、ブラジャー１００が装着されているときに、おそらく装着者の乳房からより多くの発汗を生じさせて蓄積することがあり得ることが、当業者によって諒解され得る。コア層１１２の内側部１１２ａにおけるアパーチャ１２２のより大きな直径は、ブラカップ１０４の側方区域１０２ｂの下部部分１０２ｄのまわりでの換気を改善して、そのような問題をある程度まで軽減する助けとなる。その結果、アパーチャ１２２の切頭円錐形断面は、換気を改善することによって装着者にいくらかの安心感を提供する助けとなることがあり、したがって、ブラジャー１００が装着されているとき、装着者への快適さを高める。そのうえ、コア層１１２の中のアパーチャ１２２の切頭円錐形断面は、コア層１１２を形成するために必要とされ得るフォーム材料の量を減少させ、したがって、当該ブラジャー１００用のコア層１１２を製造するコストを減少させることがある。
【００４０】
図４Ａ〜図４Ｂはそれぞれ、本開示の第２の実施形態による、ブラカップ領域１０２全体に及ぶコア層１１２の正面図および背面図を示す。コア層１１２は、ブラカップ領域１０２全体に及んで示されているが、他の例では、いかなる制限もなしに、コア層１１２は、ブラカップ１０４のうちの１つのみに及ぶことがあり、それぞれの２つのブラカップ１０４用の２つのそのようなコア層は、ブラカップ領域１０２を画定するように後で一緒に接合されることがあることが企図され得る。本実施形態では、ブラカップ１０４のコア層１１２の中に形成された複数のアパーチャ１２２は、複数の円形アパーチャ１２４と、複数の細長いアパーチャ１２６とを含む。いくつかの例では、円形アパーチャ１２４は、一般に、コア層１１２の中に形成された穴の形をとってよく、細長いアパーチャ１２６は、一般に、コア層１１２の中に形成されたスリットの形をとってよい。１つまたは複数の例では、円形アパーチャ１２４は、一般に、ブラカップ１０４の側方区域１０２ｂの中に形成され、細長いアパーチャ１２６は、一般に、ブラカップ１０４の前部区域１０２ａの中に形成される。
【００４１】
図４Ａ〜図４Ｂでわかり得るように、細長いアパーチャ１２６は、実質的にブラカップ１０４の各々の中心「Ｃ」のまわりに円形方式で配設される。特に、細長いアパーチャ１２６は、ブラカップ１０４の各々の中心「Ｃ」のまわりにおける異なる直径の１つまたは複数の円形トラックに沿って配置され得る。具体的には、細長いアパーチャ１２６は、そのように配置され、したがって、コア層１１２の中に形成されたスリットは、ブラカップ１０４の長手方向「Ｘ」に沿って一般に延在しており、それによって、その横軸「Ｙ」に沿ったブラカップ１０４の伸張を可能にする。そのようなブラカップ１０４の横方向伸張によって、ブラカップ１０４は、伸張し（必要とされる場合）、ブラジャー１００が装着されているとき、比較的かなりたやすく装着者の乳房の形状に合致することを可能にする。さらに、１つまたは複数の例では、図３Ａ〜図３Ｃに関して説明されるように、円形アパーチャ１２４のうちの１つまたは複数は、ブラカップ１０４の側方区域１０２ｂの下部部分１０２ｄにおけるアパーチャ１２２と同様に、切頭断面を有する。
【００４２】
図５Ａ〜図５Ｂはそれぞれ、本開示の第３の実施形態による、ブラカップ領域１０２全体に及ぶコア層１１２の正面図および背面図を示す。コア層１１２は、ブラカップ領域１０２全体に及んで示されているが、他の例では、いかなる制限もなしに、コア層１１２は、ブラカップ１０４のうちの１つのみに及ぶことがあり、それぞれの２つのブラカップ１０４用の２つのそのようなコア層は、ブラカップ領域１０２を画定するように後で一緒に接合されることがあることが企図され得る。本実施形態では、ブラカップ１０４のコア層１１２の中に形成された複数のアパーチャ１２２は、複数の円形アパーチャ１２８と、複数の細長いアパーチャ１３０とを含む。いくつかの例では、円形アパーチャ１２８は、一般に、コア層１１２の中に形成された穴の形をとってよい。本実施形態では、図５Ａ〜図５Ｂに示されるように、細長いアパーチャ１３０のうちの１つまたは複数は、スリット１３０ａと、スリット１３０ａの２つの端にそれぞれ形成された２つの開口１３０ｂとをもつダンベル形状を有する。１つまたは複数の例では、円形アパーチャ１２８は、ブラカップ１０４の側方区域１０２ｂの中に形成され、細長いアパーチャ１３０は、ブラカップ１０４の前部区域１０２ａの中に形成される。
【００４３】
図５Ａ〜図５Ｂでわかり得るように、細長いアパーチャ１３０は、ブラカップ１０４の各々の中心「Ｃ」のまわりに実質的に円形方式で配設される。特に、細長いアパーチャ１３０は、ブラカップ１０４の各々の中心「Ｃ」のまわりに異なる直径の１つまたは複数の円形トラックに沿って配置されてよく、したがって、複数の細長いアパーチャ１３０のうちの１つまたは複数の各々は、コア層１１２の中の対応するスリット１３０ａの延在の方向に実質的に直交する方向に沿ってコア層１１２の伸張を可能にする。具体的には、細長いアパーチャ１３０は、そのように配置され、したがって、コア層１１２の中に形成されたスリット１３０ａは、ブラカップ１０４の長手方向「Ｘ」に沿って一般に延在しており、それによって、その横軸「Ｙ」に一般に沿ったブラカップ１０４の伸張を可能にする。そのようなブラカップ１０４の横方向伸張によって、ブラカップ１０４は、伸張し（必要とされる場合）、ブラジャー１００が装着されているとき、比較的かなりたやすく装着者の乳房の形状に合致することを可能にする。そのうえ、細長いアパーチャ１３０の中の開口１３０ｂは、図４Ａ〜図４Ｂのブラカップ１０４の細長いアパーチャ１２６と比較して、前部区域１０２ａのまわりにおける細長いアパーチャ１３０からの換気の増大（ｅｎｈａｎｃｅｄ  ｖｅｎｔｉｌａｔｉｏｎ）を可能にする。理解され得るように、当該換気の改善（ｉｍｐｒｏｖｅｄ  ｖｅｎｔｉｌａｔｉｏｎ）は、ブラジャー１００が装着されているとき、装着者への快適さの増大をもたらし得る。さらに、１つまたは複数の例では、図３Ａ〜図３Ｃに関して説明されるように、円形アパーチャ１２８のうちの１つまたは複数は、ブラカップ１０４の側方区域１０２ｂの下部部分１０２ｄの中のアパーチャ１２２と同様に、切頭断面を有する。
【００４４】
図６Ａ〜図６Ｂはそれぞれ、本開示の第４の実施形態による、ブラカップ領域１０２全体に及ぶコア層１１２の正面図および背面図を示す。コア層１１２は、ブラカップ領域１０２全体に及んで示されており、他の例では、いかなる制限もなしに、コア層１１２は、ブラカップ１０４のうちの１つのみに及んでいてよく、それぞれの２つのブラカップ１０４用の２つのそのようなコア層は、ブラカップ領域１０２を画定するように後で一緒に接合されてよいことが企図され得る。さらに、ブラカップ領域１０２の外形は、図３Ａ〜図５Ｂと比較すると、図６Ａ〜図６Ｂでは異なって示されているが、他の例では、それは、いかなる様式であれ本開示の範囲に影響を与えることなく、類似の外形を有することがあることが企図され得る。図６Ａ〜図６Ｂに示されるように、ブラカップ１０４の各々は、コア層１１２の中に形成された複数のアパーチャ１３２を含む。１つまたは複数の例では、複数のアパーチャ１３２は、コア層１１２の中に形成された穴の形をした円形アパーチャである。アパーチャ１３２は、コア層１１２の内側部１１２ａと外側部１１２ｂの間に延在する。さらに、図６Ｂにより良く示されるように、ブラカップ１０４は、その内側部１１２ａに向かってコア層１１２の中に画定された複数の突出部１３４を含む。図６Ｂからわかり得るように、アパーチャ１３２および突出部１３４は、コア層１１２の内側部１１２ａに個別的に配置される。
【００４５】
図６Ｃは、図６Ａの線Ｂ−Ｂ’に沿ったブラカップ１０４の断面図を示す。図６Ｃからより明確にわかり得るように、突出部１３４は、コア層１１２の内側部１１２ａの中で複数の溝１３６を形成することによって画定されてよい。アパーチャ１３２は、一般に、コア層１１２の内側部１１２ａにおいて溝１３６の中に配設される。１つまたは複数の実施形態では、突出部１３４は、複数のアパーチャ１３２のうちの１つまたは複数がコア層１１２の内側部１１２ａにおいて３つ以上の突出部１３４によって囲まれるように、マトリックス形態で配置される。図示の例では、アパーチャ１３２は、一の方向では２つの突出部１３４の間に、別の方向では２つの他の突出部１３４の間に配設される。この目的のために、突出部１３４は２つのグループを形成することによって画定されてよく、したがって、コア層１１２の内側部１１２ａにおいて、同じグループ内の溝１３６は互いと平行に配設され、異なるグループ内の溝１３６は互いに対して直交する方向に走っている。他の例では、突出部１３４は、いかなる制限もなしに、中心「Ｃ」のまわりに円形の様式で、中心「Ｃ」からまたは放射状の様式で、配置されてよい。
【００４６】
１つまたは複数の実施形態では、複数の突出部１３４は、略正方形形状をもつ突出部１３４ａの第１のセットと、略平行四辺形または菱形の形状をもつ突出部１３４ｂの第２のセットとを含み、したがって、突出部１３４ａの第１のセットは、コア層１１２の中のブラカップ１０４のブリッジ領域１０６の近位に（すなわち、ブラカップ領域１０２の中央に向かって）配設され、突出部１３４ｂの第２のセットは、コア層１１２の中のブラカップ１０４のブリッジ領域１０６から離れて（すなわち、ブラカップ領域１０２の縁に向かって）配設される。ブラカップ１０４のブリッジ領域１０６から離れるように動くような突出部１３４の形状の変化によって、ブラジャー１００が装着されているとき、装着者の乳房の上での（コア層１１２の三次元構成を用いた）ブラカップ１０４のより良いフィット性が提供されることが理解され得る。他の例では、突出部１３４は、いかなる制限もなしに、限定するものではないが、円形、楕円形、三角形、六角形などの異なる形状を有してよい。さらに、１つまたは複数の例では、アパーチャ１３２のうちの１つまたは複数は、図３Ａ〜図３Ｃに関して説明されるように、ブラカップ１０４の側方区域１０２ｂの下部部分１０２ｄにおけるアパーチャ１２２と同様に、切頭断面を有する。
【００４７】
ブラジャー１００がその完成した形態をとるとき、突出部１３４の上部が内側層１１４と接触することが理解され得る。さらに、突出部１３４がないところに、すなわち、コア層１１２の内側部１１２ａにおける溝１３６の中に、換気空間が作られる。コア層１１２内の突出部１３４は、さらに、より少ない材料が（その中に形成された溝１３６により）コア層１１２に使用されることをもたらし、これによって、ブラジャー１００が装着されているとき、装着者の乳房に提供された支持を損なうことなく、コア層１１２の、したがってブラカップ１０４の、重量の減少がもたらされる。図６Ｂにより良く示されるように、ブラカップ領域１０２の周辺区域１０２ｃは、その中に画定された突出部１３４を有さないことがある。いくつかの例では、周辺区域１０２ｃは、内側部１１２ａにおいて突出部１３４の上部と同一平面上にあり、コア層１１２の内側部１１２ａ上で実質的に滑らかなプロファイルを提供する。
【００４８】
本開示の１つまたは複数の実施形態では、３つの層１１２、１１４、１１６は、互いに対して自由（loose）である、または互いに固定される、のどちらかである。好ましくは、３つの層１１２、１１４、１１６は、熱および圧力の印加を伴う既知の熱成形技法を使用してブラカップ１０４を形成して、一緒に成形される。コア層１１２、内側層１１４、および外側層１１６は、別個にあらかじめ成形され、後で一緒に接合されてブラカップ１０４を形成してよい。１つまたは複数の例では、３つの層１１２、１１４、１１６は、成形プロセス中に、単に熱および圧力の印加によって付着または積層されてもよいし、加えて、層の付着を容易にするための接着剤の使用を伴ってもよい。用いられた付着技法は、主に、さまざまな層の性質に依存する。一例では、接着剤は、Ｕｌｔｒａ  Ｅｎｅｒｇｙ  Ａｄｈｅｓｉｖｅ  Ｔｒａｄｉｎｇ  Ｃｏ．，  Ｌｔｄ．のＲＭ−３０などの膠剤であってよい。接着剤は、コア層１１２の内側部１１２ａおよび外側部１１２ｂならびに内側層１１４および外側層１１６の対応する対向する表面上に噴霧されてよい。成形プロセスは、３つの層１１２、１１４、１１６を一緒に接合するための熱および圧力の使用を伴い、さらに、接着膠剤の乾燥の助けとなってよい。たとえば、この接着剤は、乾燥せず、加熱されるまで粘着性があることがあるが、次いで、成形プロセス中に加熱されると、粘着して３つの層１１２、１１４、１１６を接合する。さらに、３つの層１１２、１１４、１１６は、超音波溶接などによって一緒に接合されてよい。以下の段落では、成形セットアップおよびその中に画定されたブラカップ１０４の形状をもつコア層１１２（図５Ａ〜図５Ｃの第３の実施形態による）を形成するためのプロセスについて詳細に説明する。
【００４９】
図７は、ブラカップ１０４のコア層１１２を形成するための成形配置７００を示す。図示のように、成形配置７００は、第１の型枠７０２と、第２の型枠７０４とを含む。説明されるように、コア層１１２は、たとえば、ポリウレタンフォームなどのフォーム材料から形成される。実施形態では、コア層１１２は、射出成形プロセスによって形成される。この目的のために、液体形態であり、適切な量であるフォーム材料は、第１の型枠７０２と第２の型枠７０４の間の空洞に注入される。フォーム材料の射出成形プロセスおよびその必要とされるパラメータは、当技術分野でよく知られており、したがって、本開示を簡潔にするために、本明細書では説明されない。フォーム材料の射出成形は、パネル（図示せず）を形成し、所望の三次元構成を有するコア層１１２は、その一部である。そこから、コア層１１２は、そのように形成されたパネルの縁を切り取ることによって取得され得る。図７に示されるように、第１の型枠７０２および第２の型枠７０４は、その中に画定された突起７０６を有してよい。これらの突起７０６は、円筒状突起７０６ａおよび細長い突起７０６ｂのうちの１つまたは複数を含んでよい。いくつかの例では、細長い突起７０６ｂは、ダンベル形状を有することがある。成形されたコア層１１２において、円筒状突起７０６ａが、円形アパーチャ１２８などの相補的な円形アパーチャを画定することがあり、細長い突起７０６ｂが、細長いアパーチャ１３０などの相補的な細長いアパーチャを画定することがあることが、当業者によって企図され得る。
【００５０】
いくつかの実施形態では、図示のように、メッシュ１１８は、メッシュ１１８がコア層１１２と一体的に形成され得るように、第１の型枠７０２と第２の型枠７０４の間に置かれてよい。この目的のために、メッシュ１１８は、成形プロセス中に伸展が保たれるようにフレーム７０８の中で支持されてよい。さらに、１つまたは複数の第１のアンカー７１０は、第１の型枠７０２および第２の型枠７０４のうちの一方との間隙（一般に、コア層１１２の厚さに等しい）を維持するために、第１の型枠７０２および第２の型枠７０４のうちの１つまたは複数を備えてよく、したがって、メッシュ１１８は、フォーム材料が硬化されるとき、（所望に応じて）内側部１１２ａおよび外側部１１２ｂのうちの一方とともに形成される。メッシュ１１８は、破損のない、フォーム材料の、コア層１１２の形状への硬化の助けとなることが理解され得る。いくつかの実施形態では、図示のように、アンダーワイヤ１２０は、フォーム材料が硬化されるとき、アンダーワイヤ１２０がコア層１１２の中に埋め込まれるように、ある高さ（一般に、コア層１１２の厚さの半分に等しい）で第１の型枠７０２または第２の型枠７０４（図示の例では、第２の型枠７０４とともに示される）のどちらかを備える１つまたは複数の第２のアンカー７１２上で支持される。
【００５１】
他の上述の実施形態において（たとえば、図３Ａ〜図３Ｂ、図４Ａ〜図４Ｂ、および図６Ａ〜図６Ｂなどに関して）提供されたコア層１１２は、（成形配置７００と比較して）わずかに異なる成形配置を使用して、特に、その中に画定された異なるタイプの突起７０６を有することによって、製造されてよいことが、当業者によって企図されることがある。たとえば、図６Ａ〜図６Ｃのコア層は、隆起の形をした突起をもつ成形配置を使用して、その中に突出部１３４を画定することによって形成されてよい。１つまたは複数の例では、形成されたコア層１１２の厚さは、一般に、コア層１１２の基部、突出部１３４、およびメッシュ１１８の厚さの合計に等しい。典型的には、コア層１１２の基部は０．２ｍｍの厚さを有し、突出部１３４は０．６ｍｍの厚さを有し、メッシュ１１８は０．２ｍｍの厚さを有し、したがって、コア層１１２の厚さは約１ｍｍである。さらなる材料の構成要素、層、または重なりは、本明細書において定義されたそれらに対して、ブラカップ領域１０２および／またはブラカップ１０４を画定する材料を備えてよい。
【００５２】
当該ブラジャー１００では、そのコア層１１２の中に形成されたアパーチャおよび突出部をもつブラカップ１０４は、ブラカップ１０４の換気および通気性を高める。さらに、多層構造をもつ本開示のブラカップ１０４は、従来から当技術分野で知られている単一の薄いフォーム層をもつブラカップと比較して、さまざまなサイズおよび形状の乳房に合致する、より高い変形性を提供する。主にとしてフォーム材料および一般に軽量の織物シートから形成されたブラカップ１０４は、軽量であり、したがって、当該ブラジャー１００を従来のブラジャーと比較して軽いものにする。したがって、当該ブラジャー１００は、装着時に、増強された快適さを装着者に提供し得る。当該ブラカップ１０４は、さらに、ブラジャー１００の重量によって引き起こされた圧力を装着者の乳房に均一に分散させ、それによって、長期使用中に快適さをさらに増強させる。
【００５３】
ブラカップ１０４の成形は、そうでなければ複雑である、さまざまな層を縫い合わせるプロセスを実質的に簡略化し得る。ブラカップ１０４は、実質的に縫製なしに、またはさしたる縫製なしに、製造されてよい。これによって、そうでなければさまざまな層の手での縫い合わせに必要とされる労働コストの著しい節約がもたらされることがある。コア層１１２を形成するための射出成形の実装形態によって、ブラカップ１０４の薄いセクションと厚いセクションの間のコア層１１２の中でのフォーム材料の均一な分布がもたらされる。当該コア層１１２の中でのフォーム材料の均一な密度分布によって、装着時のブラジャー１００全体の安定性が高められ得る。これによって、ねじり力および圧縮力を含む衝撃を吸収するブラカップ１０４の能力がさらに高められる。ブラカップ１０４の外面を形成する、内側層１１４および外側層１１６の織物シートは、ブラジャー１００が装着されているときに、装着者の皮膚と接触する、空気を通す材料を提供し得る。これは、皮膚から水分をある程度まで吸収および分散させる助けとなり、それによって、装着者にとっての快適さをさらに高めることがある。そのような織物シートは、抗菌性化学薬品とともに調製されてよく、これによって、衛生条件が改善され得る。
【００５４】
本開示の具体的な実施形態の前述の説明を、図示および説明の目的のために提示してきた。それらは、網羅的であることまたは本開示を開示された正確な形態に制限することを意図したものではなく、明らかに、上記の教示を考慮して、多数の修正形態および変形形態が可能である。本開示およびその実際的な適用例の原理について最も良く説明し、それによって、当業者が、本開示およびさまざまな実施形態を、企図された具体的な用途に適しているさまざまな修正形態とともに、最も良く利用することを可能にするために、例示的な実施形態を選び、説明した。
【符号の説明】
【００５５】
１００    ブラジャー
１０２    ブラカップ領域
１０２ａ  ブラカップ１０４の前部区域
１０２ｂ  ブラカップ１０４の側方区域
１０２ｄ  ブラカップ１０４の側方区域１０２ｂの下部部分
１０４    ブラカップ
１０６    ブリッジ領域
１０８    肩ひも
１１０    チェストバンド
１１２    コア層
１１２ａ  内側部
１１２ｂ  外側部
１１４    内側層
１１６    外側層
１１８    メッシュ
１２０    アンダーワイヤ
１２２    アパーチャ
１２４    円形アパーチャ
１２６    細長いアパーチャ
１２８    円形アパーチャ
１３０    細長いアパーチャ
１３０ａ  スリット
１３０ｂ  開口
１３２    アパーチャ
１３４    突出部
１３４ａ  略正方形形状をもつ突出部
１３４ｂ  略平行四辺形または菱形の形状をもつ突出部
１３６    溝
７００    成形配置
７０２    第１の型枠
７０４    第２の型枠
７０６    突起
７０６ａ  円筒状突起
７０６ｂ  および細長い突起
７０８    フレーム
７１０    第１のアンカー
７１２    第２のアンカー
【図１】
2019163576.tif 000003
【図２Ａ】
2019163576.tif 000004
【図２Ｂ】
2019163576.tif 000005
【図３Ａ】
2019163576.tif 000006
【図３Ｂ】
2019163576.tif 000007
【図３Ｃ】
2019163576.tif 000008
【図４Ａ】
2019163576.tif 000009
【図４Ｂ】
2019163576.tif 000010
【図５Ａ】
2019163576.tif 000011
【図５Ｂ】
2019163576.tif 000012
【図６Ａ】
2019163576.tif 000013
【図６Ｂ】
2019163576.tif 000014
【図６Ｃ】
2019163576.tif 000015
【図７】
2019163576.tif 000016
【外国語明細書】
2019163576000001.pdf